(57)【要約】【課題】メータ側のタイミングで親機との通信を開始する方式をとりつつ、メータで発生した事象に応じて、応答性を高めるモードに切り替えることが可能なメータシステムを提供すること。【解決手段】被計測流体が流れる流路１０１と、異常を検知する異常検知部１０５と、流路１０１に流れる流量を計測する流量計測部１０２と、流量計測部１０２で計測された流量を積算する演算部１０４と、演算部１０４で積算した積算値をデータとして所定の周期で送信する通信部１０６とを備えたメータ１００と、メータ１００からのデータを受信する上位機器であるコンセントレータ２００、サーバ３００と、からなり、異常検知部１０５が異常を検知した場合、所定の周期を短く設定する。【選択図】図１
2018125748.tif 000002
【特許請求の範囲】
【請求項１】
被計測流体が流れる流路と、異常を検知する異常検知部と、前記流路に流れる流量を計測する流量計測部と、流量計測部で計測された流量を積算する演算部と、前記演算部で積算した積算値をデータとして所定の周期で送信する通信部とを備えたメータと、
前記メータからのデータを受信する上位機器と、
からなり、
前記異常検知部が異常を検知した場合、前記所定の周期を短く設定するメータシステム。
【請求項２】
前記メータは、前記異常検知部が異常を検知した場合、前記通信部で前記上位機器へ異常を検知したことを示すデータを前記所定の周期のタイミングで送信し、
前記上位機器は、異常を検知したことを示すデータを受信した場合、前記所定の周期を短く設定するデータを送信し、
前記メータは、前記上位機器から受信したデータに基づいて前記所定の周期を短くすることを特徴とする請求項１記載のメータシステム。
【請求項３】
前記メータは、前記異常検知部が異常を検知した場合、前記通信部で前記上位機器へ異常を検知したことを示すデータを任意のタイミングで送信した後、前記所定の周期を短くすることを特徴とする請求項１記載のメータシステム。
【請求項４】
前記メータは、前記流路を遮断する遮断部を備え、
前記異常検知部が異常を検知した場合、前記演算部は、前記遮断部で前記流路を遮断することを特徴とする請求項１〜３のいずれか１項に記載のメータシステム。
【請求項５】
前記メータは、振動を検出する振動検出部を備え、
前記異常検知部は、前記振動検出部で検出された振動の大きさが所定値以上の場合に異常と判断することを特徴とする請求項１〜４のいずれか１項に記載のメータシステム。
【請求項６】
被計測流体が流れる流路と、
異常を検知する異常検知部と、
前記流路に流れる流量を計測する流量計測部と、
流量計測部で計測された流量を積算する演算部と、
前記演算部で積算した積算値をデータとして所定の周期で送信する通信部と、
を備え、
前記異常検知部が異常を検知した場合、
前記演算部は、前記通信部で上位機器へ異常を検知したことを示すデータを前記所定の周期のタイミングで送信した後、前記上位機器から送信されるデータに基づいて前記所定の周期を変更することを特徴とするメータ。
【請求項７】
被計測流体が流れる流路と、
異常を検知する異常検知部と、
前記流路に流れる流量を計測する流量計測部と、
流量計測部で計測された流量を積算する演算部と、
前記演算部で積算した積算値をデータとして所定の周期で送信する通信部と、
前記所定の周期を変更する周期変更部を、
を備え、
前記周期変更部は、前記異常検知部が異常を検知した場合、前記所定の周期を短くすることを特徴とするメータ。
【請求項８】
前記流路を遮断する遮断部を備え、
前記異常検知部が異常を検知した場合、前記演算部は、前記遮断部で前記流路を遮断することを特徴とする請求項６又は７に記載のメータ。
【請求項９】
振動を検出する振動検出部を備え、
前記異常検知部は、前記振動検出部で検出された振動の大きさが所定値以上の場合に異常と判断することを特徴とする請求項６〜８のいずれか１項に記載のメータ。
【発明の詳細な説明】
【技術分野】
【０００１】
本発明は、流量を計測するためのメータ及びメータシステムに関する。
【背景技術】
【０００２】
ガス、電力、水道等のユーティリティの使用量を計測するメータの検針値を無線等を用いて自動的に検針する無線自動検針システムが実用化されている。
【０００３】
これらのうち、ガスや水道等のメータは、商用電源より電源を供給するのが難しいことから電源として電池が用いられる為に省電力化が求められる。また、エネルギー使用量の可視化、エネルギー監視の観点を含むエネルギーマネジメントの観点、付加価値の観点から検針頻度を上げることでより細かい使用料を読み取ることや、短い周期で検針値を読み取ること、新たなセンサを付加することで、様々な情報を取得し価値の向上をしようとしている。
【０００４】
これらの観点から、メータの消費電流を抑制することが様々な方法で検討されている。また、付加価値の観点から、消費電流の抑制と応答性も重要な要素となっており、例えば、メータ側を間欠駆動させ、親機側が同期信号を短い周期で送信し消費電流の抑制および応答性を両立しようとしている（例えば、特許文献１参照）。
【先行技術文献】
【特許文献】
【０００５】
【特許文献１】特開２００１−１６０９９０号公報
【発明の概要】
【発明が解決しようとする課題】
【０００６】
しかしながら、省電力化の効果を発揮するかどうかは、メータが設置される地域の法規制に依存している。例え、この方法が利用できたとしても、ある一定レベルで省電力化は実現できるが、親機側の送信時間の制限や、メータ側の受信間隔に関係しており、ある一定以上の消費電流の抑制にはつながらない。
【０００７】
また、メータ側のタイミングで親機へ情報を送信し、送信後へ親機から情報を取得する方法もある。この方法であれば、メータは、送信するタイミング以外は、通信部分を休止あるいは低消費モードで動作させ、省電力化が可能になる。
【０００８】
この方法で省電力化を図る際、メータが親機へ情報を送信する周期は、一般的には非常に長くなり、かつ、親機からの応答を受信する際もそのタイミングになるため、メータの状態が長時間わからない状態になることや、親機から設定変更のデータを受信するにしても長時間に亘り変更の設定が反映できない状況となる。
【０００９】
本発明は、前記従来の課題を解決するもので、メータ側のタイミングで親機との通信を開始する方式をとりつつ、メータで発生した事象に応じて、応答性を高めるモードに切り替えることを実現することを目的とする。
【課題を解決するための手段】
【００１０】
前記従来の課題を解決するために、本発明のメータシステムは、被計測流体が流れる流路と、異常を検知する異常検知部と、前記流路に流れる流量を計測する流量計測部と、流量計測部で計測された流量を積算する演算部と、前記演算部で積算した積算値をデータと
して所定の周期で送信する通信部とを備えたメータと、前記メータからのデータを受信する上位機器と、からなり、前記異常検知部が異常を検知した場合、前記所定の周期を短く設定するものである。
【００１１】
これによって、メータ側のタイミングで通信を開始する場合でも、何らかの異常が発生した場合には、上記機器であるコンセントレータやサーバとの通信周期を短くすることができ、メータの状態を短時間で把握することが可能となり、また、上記機器側からメータに対する設定変更等を行う場合も迅速に行うことが可能となる。
【発明の効果】
【００１２】
本発明のメータシステムによると、メータ側のタイミングで親機との通信を開始する方式をとりつつ、メータで発生した事象に応じて、応答性を高めるモードに切り替えることを実現できる。
【図面の簡単な説明】
【００１３】
【図１】実施の形態１におけるメータシステムのメータを示すブロック図
【図２】実施の形態１におけるメータシステム全体を示すブロック図
【図３】実施の形態１におけるメータの処理フロー図
【図４】実施の形態１におけるメータシステムの通信シーケンス図
【図５】実施の形態２におけるメータを示すブロック図
【図６】実施の形態２におけるメータの処理フロー図
【図７】実施の形態２におけるメータシステムの通信シーケンス図
【発明を実施するための形態】
【００１４】
第１の発明は、被計測流体が流れる流路と、異常を検知する異常検知部と、前記流路に流れる流量を計測する流量計測部と、流量計測部で計測された流量を積算する演算部と、前記演算部で積算した積算値をデータとして所定の周期で送信する通信部とを備えたメータと、前記メータからのデータを受信する上位機器と、からなり、前記異常検知部が異常を検知した場合、前記所定の周期を短く設定するメータシステムであり、メータ側のタイミングで親機との通信を開始する方式をとりつつ、メータで発生した事象に応じて、応答性を高めるモードに切り替えることを実現できる。
【００１５】
第２の発明は、特に第１の発明において、前記メータは、前記異常検知部が異常を検知した場合、前記通信部で前記上位機器へ異常を検知したことを示すデータを前記所定の周期のタイミングで送信し、前記上位機器は、異常を検知したことを示すデータを受信した場合、前記所定の周期を短く設定するデータを送信し、前記メータは、前記上位機器から受信したデータに基づいて前記所定の周期を短くすることを特徴とするもので、送信周期の変更を上位機器が行うことで、通信の頻度を上位機器がコントロールできるようにしたものである。
【００１６】
第３の発明は、特に第１の発明において、前記メータは、前記異常検知部が異常を検知した場合、前記通信部で前記上位機器へ異常を検知したことを示すデータを任意のタイミングで送信した後、前記所定の周期を短くすることを特徴とするもので、送信周期をメータで行うことで、異常発生時、即座に報知できる。
【００１７】
第４の発明は、特に第１〜３のいずれか１つの発明において、前記メータは、前記流路を遮断する遮断部を備え、前記異常検知部が異常を検知した場合、前記演算部は、前記遮断部で前記流路を遮断することを特徴とするものである。
【００１８】
第５の発明は、特に第１〜４のいずれか１つの発明において、前記メータは、振動を検
出する振動検出部を備え、前記異常検知部は、前記振動検出部で検出された振動の大きさが所定値以上の場合に異常と判断することを特徴とするものである。
【００１９】
第６の発明は、被計測流体が流れる流路と、異常を検知する異常検知部と、前記流路に流れる流量を計測する流量計測部と、流量計測部で計測された流量を積算する演算部と、前記演算部で積算した積算値をデータとして所定の周期で送信する通信部と、を備え、前記異常検知部が異常を検知した場合、前記演算部は、前記通信部で上位機器へ異常を検知したことを示すデータを前記所定の周期のタイミングで送信した後、前記上位機器から送信されるデータに基づいて前記所定の周期を変更することを特徴とするメータである。
【００２０】
第７の発明は、被計測流体が流れる流路と、異常を検知する異常検知部と、前記流路に流れる流量を計測する流量計測部と、流量計測部で計測された流量を積算する演算部と、前記演算部で積算した積算値をデータとして所定の周期で送信する通信部と、前記所定の周期を変更する周期変更部を、を備え、前記周期変更部は、前記異常検知部が異常を検知した場合、前記所定の周期を短くすることを特徴とするメータである。
【００２１】
第８の発明は、特に第６又は７の発明において、前記流路を遮断する遮断部を備え、前記異常検知部が異常を検知した場合、前記演算部は、前記遮断部で前記流路を遮断することを特徴とするものである。
【００２２】
第９の発明は、特に第６〜８のいずれか１つの発明において、振動を検出する振動検出部を備え、前記異常検知部は、前記振動検出部で検出された振動の大きさが所定値以上のの場合に異常と判断することを特徴とするものである。
【００２３】
（実施の形態１）
図１は、実施の形態１におけるメータシステムのブロック図を示す。本メータシステムは、メータ１００及びメータ１００と通信を行う上位機器としてのコンセントレータ２００から構成されている。
【００２４】
以下にブロック内の構成要素、機能について説明する。
【００２５】
メータ１００は、流路１０１、流量計測部１０２、遮断弁１０３、演算部１０４、異常検知部１０５、通信部１０６、振動検出部１０７から構成される。
【００２６】
流路１０１は、メータ１００内に構成され、液体、あるいは気体が被計測流体として通過する経路である。図１においてその構成は、パイプ構成を示しているが、後述する流量計測部１０２、遮断弁１０３が機能するように、経路が構成されていればよい。例えば、メータ１００の筐体（図示せず）を利用し密閉構造にして、メータ１００の外部の接続口から流量計測部１０２、遮断弁１０３が直結されるような構成でもよく、特別な経路を作る必要はない。
【００２７】
流量計測部１０２は、流路１０１を流れる被計測流体の流量を測定するための構成要素であり、熱変動により流量を算出するための回路で構成したり、超音波の送受信の伝搬時間で算出される方式等で構成したり、或いは、気体を測定するのであれば計量膜で構成したりするといった構成が採用でき、特に限定はない。
【００２８】
また、流量計測部１０２は、ある決められた時間に流れた流量を出力したり、決められた量が流れたことをパルス等の信号として出力したりする機能を有している。
【００２９】
遮断弁１０３は、メータ１００の外部から流量計測部１０２を通り、外部へ供給される
経路を遮断するための要素である。遮断弁１０３は、電磁式の弁やステッピングモータを使った弁等で構成されており、後述する演算部１０４の指示により、遮断弁を開栓、閉栓することが可能である。遮断弁１０３を開栓すれば、メータ１００以降に接続される外部機器に、被計測流体が供給され、遮断弁１０３を閉栓すれば、供給が停止される機能を担っている。
【００３０】
振動検出部１０７は、振動センサ、加速度センサ等で構成されており、検知した振動に応じた信号を出力する。
【００３１】
異常検知部１０５は、振動検出部１０７で検出された振動があらかじめ定められた基準レベル以上の振動かどうかを判定し、基準レベル以上の場合に地震有りと判定し、地震の有無を演算部１０４へ出力する。また、他の異常として、流量計測部１０２で計測される流量が想定される最大流量を超えた場合や漏れと判断されるような微小な流量が長時間に渡り計測される場合、或いは、想定される最大使用時間を越えて長時間に渡り流量が計測される場合などの異常を検出する機能を付加することもできる。
【００３２】
通信部１０６は、送信回路、受信回路、復調回路、変調回路、ＶＣＯ回路、アンテナなど（何れも図示せず）から構成されており、あらかじめ決められたプロトコルにしたがって、メータ１００外部の上位機種と通信、即ち、送信及び受信を行う。
【００３３】
演算部１０４は、主にマイクロコンピュータ、メモリ、クロック、記憶デバイス等（何れも図示せず）で構成されている。演算部１０４は、流量計測部１０２、遮断弁１０３、異常検知部１０５、後述する通信部１０６と接続されている。そして、演算部１０４は、流量計測部１０２から出力信号に基づいて積算値を演算、記憶する。また、異常検知部１０５が異常を検知した際に出力される信号が演算部１０４へ入力された場合は、遮断弁１０３を閉栓するよう制御する。
【００３４】
また、演算部１０４は、あらかじめ決められた通信プロトコルに基づき、通信部１０６を制御し、記憶している積算値や、振動検出部１０７の出力結果、遮断弁１０３の制御結果や状態等をメータ１００の外部の装置であるコンセントレータ２００へ送信する。
【００３５】
コンセントレータ２００は、図示していない通信部を介してメータ１００と通信を行う。
【００３６】
上記構成において、メータ１００は、コンセントレータ２００より送信されるデータを通信部１０６を介して受信する。ここで示すデータとは、遮断弁１０３の制御情報、流量計測部１０２の制御情報、通信部１０６の制御情報等が含まれている。
【００３７】
演算部１０４は、通信部１０６を介して受信されたデータに基づき制御を行う。例えば、受信したデータの制御情報に基づき、遮断弁１０３を開栓したり、通信部１０６でデータ通信する定期発呼の周期を変更したりする。
【００３８】
続いて図２を用いて、本メータシステムの動作について説明を行う。
【００３９】
図２に示すように、本メータシステムは、複数のメータ１００、上位機器としてのコンセントレータ２００、或いはサーバ３００で構成されている。
【００４０】
ここで、メータ１００は通信部１０６を使って、あらかじめ決められたプロトコルを使って、コンセントレータ２００に接続されている。コンセントレータ２００は、所定のプロトコルに基づいてサーバ３００と接続されている。サーバ３００は、複数のコンセント
レータ２００を収容することができ、コンセントレータ２００も複数のメータ１００を収容することができる。なお、メータ１００は、所定のプロトコルに基づいてサーバ３００と直接接続することを可能とする構成でもよい。
【００４１】
メータ１００とコンセントレータ２００間のプロトコルは、たとえば低消費電力で駆動が可能な特定小電力無線や省電力ＬＴＥ等、あるいはＧＰＲＳ等で通信がなされる。またコンセントレータ２００とサーバ３００間の通信は、たとえば、セルラー網を使った通信や、電力線通信等で通信がなされる。
【００４２】
続いて図３を用いて、メータ１００の処理フローについて説明を行う。
【００４３】
メータ１００は、流量計測部１０２で流量を検出し、演算部１０４で積算を行う（Ｓ３０１）。異常検知部１０５は、振動検出部１０７で検出された振動が、あらかじめ定められた基準レベル以上かどうかを確認している（Ｓ３０２）。基準レベル以上でない場合ステップＳ３０３へ進む。
【００４４】
演算部１０４は、通信部１０６を介して、コンセントレータ２００へステップＳ３０１で算出した積算値を含めたデータを送付する定期発呼のタイミングになっているかどうか判断する（Ｓ３０３）。もし、定期発呼のタイミングでなければステップＳ３０１のステップへ戻る。また、定期発呼のタイミングであれば、流量計測部１０２で流量を検出し、演算部１０４で積算を処理へ進む（Ｓ３０４）。この定期発呼のタイミングは、予め定められた所定の周期として設定されており、このタイミングでメータ１００側からの発呼は周期的に行われる。
【００４５】
続いて、演算部１０４において、所定のデータフォーマットに基づき、ステップＳ３０４で積算した流量の積算値を含むデータを生成する（Ｓ３０５）。次に、演算部１０４は、通信部１０６を制御し、所定のプロトコルに基づきステップ３０５で生成したデータをコンセントレータ２００、或いはサーバ３００へ向け定期送信を行う（Ｓ３０６）。続いて、メータ１００は、サーバ３００、或いはコンセントレータ２００から送信されるデータを通信部１０６を介して定期受信を行いステップＳ３０１へ戻る（Ｓ３０７）。
【００４６】
ステップ３０２において、異常検知部１０５が振動検出部１０７で検出された振動があらかじめ定められた基準レベル以上の振動を検出した場合、ステップＳ３０８へ進み、演算部１０４は遮断弁１０３を制御し閉栓する（Ｓ３０８）。続いて、演算部１０４は、遮断弁１０３が閉栓したことを含むデータを生成する（Ｓ３０９）。次に、このデータは定期発呼のタイミングで通信部１０６にてコンセントレータ２００を介してサーバ３００へ送信される（Ｓ３１０）。
【００４７】
サーバ３００では、メータ１００で行う定期発呼のタイミングを決定する周期をあらかじめ定められた周期よりも短く設定する為のデータを生成し、コンセントレータ２００を介し、メータ１００へ送信する。メータ１００は、通信部１０６を介してデータを受信する（Ｓ３１１）。続いて、演算部１０４はステップ３１１で受信したデータに基づいて記憶している定期発呼の周期を変更する（Ｓ３１２）。
【００４８】
以上の処理を行うことで、メータ１００において、振動検出部１０７で、規定するレベル以上の振動を検出し、遮断弁１０３を閉栓した状態をコンセントレータ２００、サーバ３００へ伝達することで、メータ１００の状態変化を直ぐに報知することができるとともに、上記伝達を受けて、メータ１００からの定期発呼周期をあらかじめ定められた周期から短くすることで、サーバ３００は頻繁にメータからデータを取得することができる。加えて、メータの応答性を上げることができ、設定や制御を頻繁に変更できる。
【００４９】
以下、図４に示す、メータ１００、コンセントレータ２００、サーバ３００間の通信シーケンス図を用いて通信の手順を説明する。
【００５０】
図において、Ｔ１は定期発呼周期であり、メータ１００は、演算部１０４で演算された積算値をデータＲ１００として定期発呼のタイミングでコンセントレータ２００に送信する（Ｓ０）し、コンセントレータ２００は、データＲ１００をそのままサーバ３００に転送する。次に、データＲ１００を受信したサーバ３００は、受信完了を示す応答データＡ１００をコンセントレータ２００に送信し、コンセントレータ２００は、この応答データＡ１００をメータ１００に転送する。
【００５１】
メータ１００は、応答データＡ１００を受信できたら定期送信完了として、次の定期発呼タイミングを待ち、同様にデータＲ１０１の送信を行う（Ｓ１）。そして、この動作を定期発呼周期Ｔ１の周期で繰り返し実行する。
【００５２】
なお、詳細の説明は省略するが、応答データＡ１００を受信できない場合は、送信エラーが発生したとして再度同じデータを再送するなどの処理を行うことは言うまでもない。
【００５３】
次に、振動検出部１０７で検出される振動があらかじめ定められた基準レベル以上の振動であると異常検知部１０５が検出した場合、演算部１０４は遮断弁１０３による閉栓を行なう（Ｓ２）。その後、次の定期発呼のタイミングを待って、閉栓したことを含むデータＲ１０２をコンセントレータ２００に送信（Ｓ３）し、コンセントレータ２００は、データＲ１０２をそのままサーバ３００に転送する。
【００５４】
次に、データＲ１０２を受信したサーバ３００は、データＲ１０２が閉栓を示すデータであるので、受信完了のデータと共に、定期発呼周期の変更を指示する応答データＡ１０２をコンセントレータ２００に送信し、コンセントレータ２００は、この応答データＡ１０２をメータ１００に転送する。
【００５５】
メータ１００は、定期発呼周期を受信した応答データＡ１０２で指示された周期Ｔ２に変更する。
【００５６】
従って、この周期Ｔ２を、通常の定期発呼周期Ｔ１（例えば、２４時間）よりも短い時間（例えば、１時間）に設定することで、メータ１００とサーバ３００間の通信を頻繁に行うことが可能となる。
【００５７】
これにより、メータ１００の状態変化（即ち、遮断弁１０３の閉栓）を把握するが可能となり、また、状態変化後は頻繁にメータ１００の状態をモニターすることができ、例えば、メータ１００から送信されるデータに振動検出部１０７で検知される振動の大きさを含めると、地震の終息状態をモニターすることも可能となる。
【００５８】
また、地震が終息するなど開栓しても問題ないと判断される場合には、サーバ３００からメータ１００に対して遮断弁１０３を開栓する指示を与えることも可能で、短時間でメータ１００はこの指示を受信して開栓を実行することができる。と同時に、定期発呼周期を通常の周期に戻す指示を行うことで、通常の状態に復帰できる。
【００５９】
なお、上記実施の形態において、振動検出部１０７で検出される規定するレベル以上の振動とは、地震による安全が確保できないような大きな地震の発生による振動を意図している。
【００６０】
また、上記実施例では、異常検知部として、振動検出部１０７による地震の検知で説明したが、他の異常として、流量計測部１０２で計測される流量が想定される最大流量を超えた場合や漏れと判断されるような微小な流量が長時間に渡り計測される場合、或いは、想定される最大使用時間を越えて長時間に渡り流量が計測される場合などの異常があり、メータ１００で検出可能な異常が含まれ得る。
【００６１】
以上のように、メータ１００からの定期発呼により積算値等のデータを送信し、サーバでこのデータを収集するようなメータシステムにおいて、メータで発生した異常等の事象に応じて、通信の頻度を多くすることで応答性を高めることが出来、異常等の事象に応じた処置を迅速に行うことが出来る。
【００６２】
（実施の形態２）
次に、図５を用いて実施の形態２について説明を行う。この実施の形態２が実施の形態１のメータと異なる点は、メータ４００が周期変更部１０８を有する点であり、実施の形態１と同一符号のものは基本的に同一構造を有し、説明は省略する。
【００６３】
ここで、周期変更部１０８は、異常検知部１０５が振動検出部１０７で検出された振動があらかじめ定められた基準レベル以上の振動であることを検出した場合に、定期発呼のタイミングを変更するもので、異常を検知した場合に、即座に、発呼を行うことで迅速にメータ４００の状態を上位機器に報知できる。
【００６４】
図６は、本実施の形態におけるメータ４００の処理フロー図であり、図４に示す実施の形態１と同等の処理は同じ符号を用いて説明は省略する。実施の形態１と異なる点は、ステップＳ３０９より後の処理である。即ち、異常検知後に閉栓し、演算部１０４が遮断弁１０３が閉栓したことを含むデータを生成（Ｓ３０９）した後、周期変更部１０８は定期発呼の周期を短い周期に変更する（Ｓ３２０）。
【００６５】
その後、発呼を行う（Ｓ３２１）ことでデータはコンセントレータ２００を介してサーバ３００へ送信される。このことにより、サーバ３００では、メータ４００で異常を検知したことを迅速に把握することが出来、異常等の事象に応じた処置を迅速に行うことが出来る。
【００６６】
次に、図７に示す、メータ４００、コンセントレータ２００、サーバ３００間の通信シーケンス図を用いて通信の手順を説明する。図５に示す実施の形態１と同等の処理は同じ符号を用いて説明は省略する。実施の形態１と異なる点は、処理Ｓ２より後の処理である。
【００６７】
異常を検知した後、演算部１０４は遮断弁１０３による閉栓を行なう（Ｓ２）。その後、周期変更部１０８は定期発呼の周期を短い周期に変更すると共に、閉栓したことを含むデータＲ２０２をコンセントレータ２００に送信（Ｓ５）し、コンセントレータ２００は、データＲ２０２をそのままサーバ３００に転送する。
【００６８】
データＲ２０２を受信したサーバ３００は、データＲ２０２が閉栓を示すデータであるので、受信完了を示す応答データＡ２０２をコンセントレータ２００に送信し、コンセントレータ２００は、この応答データＡ２０２をメータ１００に転送する。
【００６９】
このことにより、サーバ３００では、メータ４００で異常を検知したことを迅速に把握することが出来、異常等の事象に応じた処置を迅速に行うことが出来る。
【００７０】
以上のように、メータ４００側に設けた周期変更部１０８により定期発呼の周期を短く
変更することで、メータ４００とサーバ３００間の通信を頻繁に行うことが可能となる。
【００７１】
これにより、メータ４００の状態変化（即ち、遮断弁１０３の閉栓）を把握するが可能となり、また、状態変化後は頻繁にメータ４００の状態をモニターすることができ、例えば、メータ４００から送信されるデータに振動検出部１０７で検知される振動の大きさを含めると、地震の終息状態をモニターすることも可能となる。
【００７２】
本発明は上述した実施の形態に限定されるものではなく、本発明の要旨を逸脱しない範囲において、種々なる態様で実施することができる。例えば、本実施の形態では、異常検知部１０５と演算部１０４を個々の構成として説明したが、異常検知部１０５の機能を演算部１０４の機能の一部として取り込むことも可能である。また、周期変更部１０８を演算部１０４の機能の一部として取り込むことも可能であることは言うまでもない。
【産業上の利用可能性】
【００７３】
以上のように、本発明にかかるメータシステムは、メータ側のタイミングで親機との通信を開始する方式をとりつつ、メータで発生した事象に応じて、応答性を高めるモードに切り替えることができるので、電池を電源とする機器を用い定期発呼する通信方式を用いた通信システムにおいて、異常発生時の対応を迅速に行うことができる。
【符号の説明】
【００７４】
１００、４００  メータ
１０１  流路
１０２  流量計測部
１０３  遮断弁
１０４  演算部
１０５  異常検知部
１０６  通信部
１０７  振動検出部
１０８  周期変更部
２００  コンセントレータ
３００  サーバ
【図１】
2018125748.tif 000003
【図２】
2018125748.tif 000004
【図３】
2018125748.tif 000005
【図４】
2018125748.tif 000006
【図５】
2018125748.tif 000007
【図６】
2018125748.tif 000008
【図７】
2018125748.tif 000009